(57)【要約】【課題】入浴介護において、構造が簡易で操作が簡単なフットサポートを備えている入浴介護装置を提供する。【解決手段】  本発明は、利用者の浴槽への入浴を補助するための入浴介護装置であって、前記浴槽に取付可能な装置本体と、前記装置本体を移動可能に支持する支持台と、前記装置本体に対して上下動可能に取り付けられるとともに、背凭れ部、及び当該背凭れ部の下端部に連結された座部を有する、椅子と、前記椅子に連結され、前記利用者の足を支持するフットサポートと、を備え、前記フットサポートは、両足を載せる足載置部と、前記足載置部を、前記座部に対して上下方向に近接離間させるとともに、前記座部に対して前後方向に進退させる移動機構と、を備えている。【選択図】図１
2018027255.tif 000002
【特許請求の範囲】
【請求項１】
利用者の浴槽での入浴を補助するための入浴介護装置であって、
前記浴槽に取付可能な装置本体と、
前記装置本体を移動可能に支持する支持台と、
前記装置本体に対して上下動可能に取り付けられるとともに、背凭れ部、及び当該背凭れ部の下端部に連結された座部を有する、椅子と、
前記椅子に連結され、前記利用者の足を支持するフットサポートと、
を備え、
前記フットサポートは、
両足を載せる足載置部と、
前記足載置部を、前記座部に対して上下方向に近接離間させるとともに、前記座部に対して前後方向に進退させる移動機構と、
を備えている、入浴介護装置。
【請求項２】
前記移動機構は、
一端部が背もたれ部の下部または座部の下面に揺動自在に連結されるとともに、他端部が前記足載置部に連結された連結具を備え、
前記連結具は伸縮可能に構成されている、請求項１に記載の入浴介護装置。
【請求項３】
前記フットサポートは、
前記連結具の他端部側を前記座部の下方に固定する第１の固定位置と、
前記第１の固定位置から前記連結具を上方に揺動し、前記連結具の他端部側を前記座部の下面側に固定する第２の固定位置と、
を取り得るように構成されている、請求項２に記載の入浴介護装置。
【請求項４】
前記支持台は、
車輪が設けられた基台部と、
前記基台部から上方に延び、前記装置本体を支持する支持部と、
を備え、
前記第１の固定位置では、前記連結具の他端部側または足載置部を前記基台部上に固定するように構成されている、請求項３に記載の入浴介護装置。
【請求項５】
前記支持台は、
車輪が設けられた基台部と、
前記基台部から上方に延び、前記装置本体を支持する支持部と、
を備えている、請求項１から３のいずれかに記載の入浴介護装置。
【請求項６】
前記支持部は、前記装置本体を水平方向に移動可能なレール部を備えている、請求項５に記載の入浴介護装置。
【請求項７】
前記足載置部は、右足用載置部及び左足用載置部を備え、当該右足用載置部及び左足用載置部が、それぞれ、前記移動機構により移動可能に構成されている、請求項１から６のいずれかに記載の入浴介護装置。
【発明の詳細な説明】
【技術分野】
【０００１】
本発明は、例えば、歩行困難な老人や身体障害者を椅子に着座させた状態で入浴させることができる入浴介護装置に関する。
【背景技術】
【０００２】
従来より、被介護者の入浴を補助するための種々の入浴介護装置が提案されている。例えば、特許文献１に開示された入浴介護装置は次のように構成されている。すなわち、この入浴介護装置は、被介護者を着座させる椅子を有するとともに、この椅子を昇降させる装置本体と、この装置本体を移動可能に支持する車輪付きの支持台と、を備えている。また、浴槽には固定レールが取り付けられており、装置本体は、椅子とともに支持台から固定レールに移動できるようになっている。
【０００３】
この入浴介護装置は次のように利用される。まず、浴槽外の洗場において、装置本体を駆動し、椅子を下降させる。そして、被介護者を椅子に着座させた後、椅子の下面が浴槽の上枠を超える位置まで上昇させる。続いて、装置本体及び椅子を支持台から固定レールへ移動させる。すなわち、装置本体及び椅子を洗場から浴槽へスライドさせる。そして、椅子が浴槽の上方に位置すると、椅子を下降させ、被介護者を椅子に着座させたまま入浴させる。
【先行技術文献】
【特許文献】
【０００４】
【特許文献１】特開２０１５−５８０５４号公報
【発明の概要】
【発明が解決しようとする課題】
【０００５】
ところで、上記入浴介護装置では、装置本体及び椅子が支持台に支持されているときに、被介護者の足を支持するフットサポートが支持台に設けられている。さらに、椅子にもフットサポートが設けられており、こちらは、浴槽の上枠を超えるために椅子が上昇したとき、及び装置本体及び椅子が支持台から離れて浴槽に移動するときに、被介護者の足を載置するために用いられる。
【０００６】
しかしながら、このように２つのフットサポートが設けられていると、構造が複雑になるとともに、操作が煩雑になり、介護者の負担が大きいという問題がある。本発明は、この問題を解決するためになされたものであり、入浴介護において、構造が簡易で操作が簡単なフットサポートを備えている入浴介護装置を提供することを目的とする。
【課題を解決するための手段】
【０００７】
本発明は、利用者の浴槽への入浴を補助するための入浴介護装置であって、前記浴槽に取付可能な装置本体と、前記装置本体を移動可能に支持する支持台と、前記装置本体に対して上下動可能に取り付けられるとともに、背凭れ部、及び当該背凭れ部の下端部に連結された座部を有する、椅子と、前記椅子に連結され、前記利用者の足を支持するフットサポートと、を備え、前記フットサポートは、両足を載せる足載置部と、前記足載置部を、前記座部に対して上下方向に近接離間させるとともに、前記座部に対して前後方向に進退させる移動機構と、を備えている。
【０００８】
この構成によれば、フットサポートが椅子に取り付けられており、フットサポートの足載置部が、移動機構により、座部に対して上下方向に近接離間するとともに、前後方向にも進退できるように構成されている。そのため、１つのフットサポートにより、椅子が支持台上にある態様と、椅子が支持台から離れている態様とのいずれにおいても、足載置部を移動機構により移動させ、被介護者の足を足載置部に載せることができる。したがって、入浴介護装置がいずれの態様にあったとしても、介護者は、被介護者の足を載せ替えることなく、１つのフットサポートを操作すればよいため、構造が簡易であり、また操作を簡単にすることができる。
【０００９】
移動機構は、種々の構成にすることができるが、例えば、前記移動機構は、一端部が背もたれ部の下部または座部の下面に揺動自在に連結されるとともに、他端部が前記足載置部に連結された連結具を備え、前記連結具は伸縮可能に構成することができる。
【００１０】
上記入浴介護装置において、前記フットサポートは、前記連結具の他端部側を前記座部の下方に固定する第１の固定位置と、前記第１の固定位置から前記連結具を上方に揺動し、前記連結具の他端部側を前記座部の下面側に固定する第２の固定位置と、を取り得るように構成することができる。
【００１１】
上記入浴介護装置において、前記支持台は、車輪が設けられた基台部と、前記基台部から上方に延び、前記装置本体を支持する支持部と、を備えることができ、前記第１の固定位置では、前記連結具の他端部側または足載置部を前記基台部上に固定するように構成することができる。
【００１２】
この構成によれば、第１の固定位置において、前記連結具の他端部側または足載置部を前記基台部上に固定することができるため、椅子が上下動したとしても、足載置部の位置を固定することができる。このとき、椅子の上下動に伴って連結具は揺動又は伸縮するため、足載置部の位置が、連結具によって移動することはない。
【００１３】
上記各入浴介護装置において、前記支持台は、車輪が設けられた基台部と、前記基台部から上方に延び、前記装置本体を支持する支持部と、を備えている。
【００１４】
上記各入浴介護装置において、前記支持部は、前記装置本体を水平方向に移動可能なレール部を備えることができる。
【００１５】
上記各入浴介護装置において、前記足載置部は、右足用載置部及び左足用載置部を備えることができ、当該右足用載置部及び左足用載置部を、それぞれ、前記移動機構により移動可能に構成することができる。
【発明の効果】
【００１６】
本発明に係る入浴介護装置によれば、椅子を高く上昇させることなく、洗場と浴槽との間を移動させることができる。
【図面の簡単な説明】
【００１７】
【図１】本発明の一実施形態に係る入浴介護装置の側面図である。
【図２】図１の正面図である。
【図３】フットサポートを第１の固定位置に配置した、図１の入浴介護装置の側面図である。
【図４】フットサポートを第２の固定位置に配置した、図１の入浴介護装置の側面図である。
【図５】フットサポートを第２の固定位置に配置した、図１の入浴介護装置の側面図である。
【図６】図４の正面図である。
【図７】浴室の平面図である。
【図８】図１の入浴介護装置の動作を示す側面図である。
【図９】図１の入浴介護装置の動作を示す側面図である。
【発明を実施するための形態】
【００１８】
以下、本発明の一実施形態に係る入浴介護装置について、図面を参照しつつ説明する。図１は第１実施形態に係る入浴介護装置の側面図、図２は図１の正面図である。以下では、図１のほか、各図に示す方向を基準に説明を行うこととする。但し、この向きによって、本発明が限定されるものではない。
【００１９】
図１及び図２に示すように、本実施形態に係る入浴介護装置は、被介護者などの利用者を着座させる椅子１と、この椅子１を上下動可能に支持する装置本体２と、この装置本体２を移動可能に支持する支持台３と、を備えている。さらに、この入浴介護装置は、被介護者の足を支持するフットサポート４を備えている。以下、各部材について詳細に説明する。
【００２０】
（１）椅子
図１及び図２に示すように、本実施形態に係る椅子１は、板状に形成され、上下方向に延びる移動部材１１を備えており、この移動部材１１が上述した装置本体２に対して上下動可能に取り付けられている。より詳細には、移動部材１１の背面には、上下方向に延びるラック（図示省略）が固定されており、このラックに、装置本体２の前面から露出するピニオン（図示省略）が噛み合っている。このピニオンは、装置本体２に内蔵されたモータ（図示省略）により正逆方向に回転駆動するようになっている。そして、この移動部材１１に、被介護者の頭部を支持するヘッドレスト１２、被介護者の背中を支持する背凭れ部１３、被介護者の臀部を支持する座部１４、及び被介護者の腕を支持する一対のアームレスト１５が取り付けられている。
【００２１】
まず、背凭れ部１３から説明する。図１及び図２に示すように、背凭れ部１３は、上下方向に延びる正面視矩形状に形成されており、移動部材１１の前面に固定されている。また、背凭れ部１３の両側は、前方に向かってやや湾曲しており、これによって被介護者の背中の上部を包み込むように支持する。なお、背凭れ部１３は、上部から下部に向かうにつれて、後ろから前にかけて傾斜していてもよい。
【００２２】
ヘッドレスト１２は、正面視矩形状に形成され、移動部材１１の最上部付近にブラケット１６を介して取り付けられている。ブラケット１６は移動部材１１からやや前方に向かって延びており、これによって、ヘッドレスト１２は背凭れ部１３よりもやや前方に配置されている。また、ブラケット１６は移動部材１１に対して上下動可能に構成されるとともに、移動部材１１に対して揺動可能となっている。そのため、ヘッドレスト１２も移動部材１１に対して上下動可能であり、また揺動可能であるため、被介護者の頭の位置に合わせてヘッドレスト１２の上下の位置及び角度を調整可能である。また、ヘッドレスト１２の両側は前方に向かってやや湾曲しており、これによって被介護者の頭部を後ろ側から包み込むように支持する。
【００２３】
座部１４は平面視矩形状に形成されており、移動部材１１の下端部に固定されている。そして、移動部材１１の下端部から概ね水平方向に前方に向かって突出するように支持されている。また、座部１４の先端の下面には、後述するように、フットサポート４を支持するフック１９が設けられている。
【００２４】
アームレスト１５は、複数箇所で屈曲する棒状に形成されており、その一端部は、軸部材１７を介して移動部材１１の両側に揺動可能に固定されている。そして、各アームレスト１５は、軸部材１７から背凭れ部１３の両側を越えて前方に延びている。この構成により、アームレスト１５は、軸部材１７から概ね水平方向に延びる位置において、被介護者の両腕を載置可能であるとともに、この位置から上方に揺動可能となっている。そして、アームレスト１５が上下方向に延びる位置まで揺動したときには、被介護者は椅子１の両側から座部１４に着座することができる。
【００２５】
（２）装置本体
次に、装置本体２について説明する。装置本体２は、直方体状のケーシング２１と、このケーシング２１に内蔵されているモータ（図示省略）と、を備えている。モータは、上述したようにピニオンを回転させるためのものである。ケーシング２１の前面は、下方にいくにしたがって、前方に向かうように傾斜している。また、ケーシング２１の前面にはガイドローラ（図示省略）が配置されており、このガイドローラが移動部材１１の背面に形成され、上下方向に延びるガイド溝（図示省略）に嵌め込まれている。これにより、移動部材１１は、ケーシング２１に対して上下動可能となっている。また、ケーシング２１の前面が上記のように傾斜しているため、移動部材１１もこの傾斜に沿って上下動するように構成されている。例えば、移動部材１１がケーシング２１に対して下方に移動すると、やや前方に向かうように移動する。
【００２６】
（３）支持台
次に、支持台３について説明する。支持台３は、複数の車輪３５が設けられた基台部３１と、装置本体２を支持するレール部材３２と、基台部３１から上方に延び、レール部材３２を支持する支持部３３と、を備えている。
【００２７】
基台部３１は、前後方向に延びる一対の棒状の支持部材３１１を備えており、各支持部材３１１の前後の端部の下側に、それぞれ車輪３５が取り付けられている。両支持部材３１１は、左右方向に所定間隔をあけて平行に配置されており、前端部側が板状の第１連結部材３１２により連結されている。一方、両支持部材３１１の後端部側は板状の第２連結部材３１３によって連結されている。そして、第２連結部材３１３から上述した支持部３３が上方に延びており、レール部材３２を下側から支持している。また、第１連結部材３１２の左右方向の中心付近には、後述するように、フットサポート４と係合する固定具３４が取り付けられている。
【００２８】
レール部材３２は、左右方向に延びるレール３２１を有しており、このレール３２１にケーシング２１の下端面が移動可能に嵌め込まれている。これにより、ケーシング２１は、レール部材３２に沿って左右方向に移動可能となっている。また、ケーシング２１は、レール部材３２上にあるとき、その位置をロックできるようになっている。さらに、レール部材３２は、後述するように浴槽９の上枠９１に設けられた固定レール６とほぼ同じ高さに設置されている。
【００２９】
（４）フットサポート
続いて、フットサポート４について説明する。フットサポート４は、被介護者の両足をそれぞれ載置する一対の平板状の足載置部４１を備えている。また、両足載置部４１からは後方に向かって円筒状の延伸部材４２がそれぞれ延びており、これら延伸部材４２は、左右方向に平行に延びる複数の係合部材４３によって連結されている。また、各延伸部材４２には、棒状の揺動部材４４がそれぞれ挿入されている。これにより、各延伸部材４２は、揺動部材４４に対して前後方向に進退可能となっている。また、各揺動部材４４の後端部は、座部１４の下面の後端部において、上下方向に揺動可能に連結されている。以上の構成により、足載置部４１は、座部１４から前後方向に移動可能であるとともに、上下方向に揺動可能となっている。なお、本実施形態の延伸部材４２及び揺動部材４４が、本発明の連結具を構成する。また、足載置部４１は、延伸部材４２に対して角度を変えるように構成することもできる。
【００３０】
この構成により、本実施形態に係るフットサポート４は、２つの態様を採りうる。この点について、図４〜図６も参照しつつ説明する。図４及び図５は入浴介護装置の側面図、図６は図４の正面図である。
【００３１】
まず、図１に示すように、揺動部材４４を下方に揺動し、延伸部材４２を揺動部材４４に対して所定の位置に進退させ、いずれかの係合部材４３を支持台３の固定具３４に係合させる。すなわち、いずれかの係合部材４３を固定具３４により下側から支持する。この位置を第１の固定位置と称することとする。第１の固定位置は、椅子１に着座した被介護者が座部１４の先端付近で膝を曲げ、下方に下ろした足を載置するためのフットサポート４の固定位置である。また、この固定位置において、足載置部４１は、延伸部材４２を介して、支持台４の固定具３４に固定されているため、椅子１を装置本体２に対して上下動した場合には、椅子１の上下の位置に応じて、揺動部材４４が延伸部材４２から進退するとともに、座部１４に対して揺動する。したがって、例えば、図３に示すように、椅子１を下降させたとしても、椅子１の上下の位置に関わらず、図１の状態からと比べ、足載置部４１の位置は変わらず、支持台４の下端部に固定される。そのため、被介護者の身長に合わせて座部１４と足載置部４１との位置関係を調整することができる。
【００３２】
もう一つの態様は、次の通りである。すなわち、図４に示すように、揺動部材４４を座部１４の下面付近まで揺動しつつ、延伸部材４２を揺動部材４４に対して所定の位置に進退させる。そして、いずれかの係合部材４３を座部１４の下面に設けられたフック１９に引っ掛ける。この位置を第２の固定位置と称することとする。第２の固定位置は、椅子１に着座した被介護者が前方に延ばした足を足載置部４１に載置するためのフットサポート４の固定位置であり、延伸部材４２は座部１４から延長されるように、概ね水平方向に延びた状態となる。この第２の固定位置は、後述するように、椅子１を洗場Ｗから浴槽９へと移動させるとき、及び浴槽９内に椅子１を配置するときの固定位置である。この固定位置では、図５に示すように、延伸部材４２を、揺動部材４４に対して進退させることができる。このとき、延伸部材４２の位置に応じてフック１９に引っ掛ける係合部材４３を変更する必要がある。これにより、被介護者の身長に合わせて座部１４と足載置部４１との位置関係を調整することができる。
【００３３】
（５）浴槽の固定レール
次に、上記のように構成された入浴介護装置の椅子１を浴槽に移動させるための固定レール６について、図７も参照しつつ説明する。
【００３４】
図７に示すように、固定レール６は、レール本体６１と、このレール本体６１の両端部にそれぞれ連結された一対のレール支持アーム６２と、を備えている。レール本体６１は、左右方向に延び、浴槽９の後側の上枠９１上に位置するように、浴室の壁面に取り付けられている。また、レール本体６１の上面には、入浴介護装置の装置本体２をスライド可能に受け入れるレール溝６１１が形成されている。上述したように、レール本体６１と入浴介護装置のレール部材３２とはほぼ同じ高さに位置するように設定されており、入浴介護装置を移動して、レール部材３２の端部を、レール本体６１の左端部に当接し、ロック部材(図示省略)により、レール部材３２をレール本体６１に対して固定できるようになっている。この状態で、レール部材３２上にある装置本体２を、スライドさせ、レール部材３２からレール本体６１へと移動させることができる。そして、装置本体２のケーシング２１は、レール部材３２上にあるときに、その位置をロックできるようになっている。
【００３５】
（６）入浴介護装置の使用方法
次に、上記入浴介護装置の使用方法について、図８及び図９も参照しつつ説明する。本実施形態に係る入浴介護装置は、被介護者にシャワーを浴びさせるシャワーキャリー態様と、入浴させるための入浴態様とで使用される。以下、これらについて説明する。
【００３６】
（６−１）シャワーキャリー態様
まず、図１に示すように、フットサポート４を第１の固定位置に配置する。そして、被介護者の身長に合わせて、移動部材１１を装置本体２に対して上下動させ、椅子の高さを調節する。例えば、図１と図３では、椅子の高さを変えているが、このようにしても足載置部４１の位置は変わらないため、被介護者の身長に合わせることができる。続いて、介護者は、例えば、車椅子に乗せた被介護者を椅子１に横付けし、被介護者を車椅子から椅子１に移動させる。このとき、一方のアームレスト１５を上方に揺動した上で、被介護者を側方又は前方から椅子１に着座させ、足を足載置部４１上に配置する。
【００３７】
続いて、支持台３を洗場Ｗで移動させ、入浴介護装置をシャワーの直下に配置する。この状態で被介護者を着座させたまま、シャワーヘッドから湯を流し、身体を洗う。
【００３８】
（６−２）入浴態様
次に、入浴態様について説明する。まず、フットサポート４を第２の固定位置に配置する。すなわち、介護者は、第１の固定位置にあるフットサポートにおいて、係合部材４３を固定具３４から外し、足載置部４１を上方に引き上げる。これにより、足載置部４１、延伸部材４２、及び揺動部材４４が上方に揺動する。そして、図４に示すように、延伸部材４２が座部１４の下面付近に位置するまで揺動させた後、延伸部材４２の前後の位置を調整し、係合部材４３をフック１９に引っ掛ける。この過程で、被介護者は足載置部４１に足を載せたまま、介護者がフットサポート４の位置を調整する。こうして、被介護者は、座部１４に着座した状態で、膝を抱えるような体勢となる。このとき、座部１４及び足載置部４１は概ね同じ高さになるため、被介護者の身体全体が座部１４よりも上に配置される。
【００３９】
続いて、入浴介護装置を移動させ、レール部材３２を浴槽のレール本体６１に連結し、ロックする。これに続いて、図８に示すように、モータを駆動して、椅子１が、浴槽９の上枠９１よりも少し高い位置となるまで、椅子１を上昇させる。そして、椅子１が、浴槽９の上枠９１を超えると、装置本体２をレール部材３２からレール本体６１へ向けてスライドさせる。椅子１が浴槽９の上方に位置すると、装置本体２がスライドしないように、その位置にロックする。
【００４０】
続いて、モータを駆動し、図９に示すように、椅子１を浴槽９内へと降下させる。こうして、被介護者は椅子１に着座したままで、浴槽９内に入り、湯につかることができる。入浴が終了後には、これとは逆に椅子１を上昇させ、椅子１が浴槽９の上枠９１を超える位置まで上昇すると、装置本体２のスライドのロックを解除し、装置本体２を洗場Ｗ側へスライドさせる。そして、装置本体２がレール部材３２上に移動すると、ロックをする。その後、椅子１を下降後、介護者が車椅子を椅子１に横付けし、被介護者を車椅子に移動する。こうして、入浴介護が完了する。
【００４１】
（７）特徴
上記入浴介護装置によれば、フットサポート４が上下方向に揺動するとともに、前後方向に進退できるように構成されている。そのため、フットサポート４の足載置部４１を下方に配置する第１の固定位置と、足載置部４１を座部と概ね同じ位置に配置する第２の固定位置とを、選択的に採りうることができる。そのため、フットサポート４が第１の固定位置にあるときは、着座したままシャワーを浴びたり、身体を洗ったりする際に足を載置することができる。一方、フットサポート４が第２の固定位置にあるときは、足を座部１４と概ね同じ高さまで上げた状態に保持できるため、被介護者は椅子１に着座したままで、浴槽９の上枠９１を超えたり、浴槽９に浸かることができる。このように、本実施形態によれば、被介護者の足を載せ替えることなく、１つのフットサポート４で、複数の態様を採ることができるため、構造が簡単になり、または操作も容易になる。
【００４２】
また、フットサポート４の揺動部材４４と延伸部材４２とは、前後方向に進退可能に構成されているため、被介護者の身長に合わせて足載置部４１の位置を調整することができる。
【００４３】
（８）変形例
以上、本発明の実施形態について説明したが、本発明は上記各実施形態に限定されるものではなく、その趣旨を逸脱しない限りにおいて、種々の変更が可能である。例えば、以下の変更が可能である。また、以下の変形例は、いずれか１つを採用したり、あるいは複数の態様を問題なく組み合わせることができる。
【００４４】
（８−１）
上記実施形態では、椅子１の一部である移動部材１１が装置本体２に対して上下動するように構成されているが、これに限定されるものではなく、例えば、移動部材１１を設けず、背凭れ部１３に座部１４、ヘッドレスト１２、アームレスト１５を取り付け、これらが装置本体２に対して上下動するように構成してもよい。また、ヘッドレスト１２及びアームレスト１５は必ずしも設ける必要はなく、必要に応じて適宜設ければよい。また、椅子１を上下動するために、モータ、ラック、ピニオンを使用しているが、他の駆動機構により、上下動させることもできる。
【００４５】
（８−２）
支持台３は、車輪３５により移動可能となっているが、移動可能であれば、特には限定されず、例えば、車輪を設けず、洗場Ｗを滑らせるように移動してもよい。また、少なくとも装置本体２を支持できればよいため、基台部３１、支持部３３などの構成についても、適宜変更することができる。
【００４６】
（８−３）
上記実施形態では、延伸部材４２、揺動部材４４、係合部材４３により、フットサポート４の移動機構を構成しているが、これに限定されず、少なくとも、足載置部４１が、上下方向、及び前後方向に移動可能な機構であればよい。また、足載置部４１の位置決めを行うため、フック１９と、固定具３４とを用いているが、位置決めができる機構であれば特には限定されない。
【００４７】
（８−４）
上記実施形態では、一対の足載置部４１が一体的に動作するように固定されているが、これらを分離して右足用載置部及び左足用載置部とし、各載置部を個々に移動可能とすることもできる。この場合、例えば、延伸部材４２、揺動部材４４も分離し、各足載置部４１が独立して移動するようにすることができる。
【符号の説明】
【００４８】
１        ：椅子
１３      ：背凭れ部
１４      ：座部
２        ：装置本体
３        ：支持台
４        ：フットサポート
４１      ：足載置部
４２      ：延伸部材（連結具）
４４      ：揺動部材（連結具）
【図１】
2018027255.tif 000003
【図２】
2018027255.tif 000004
【図３】
2018027255.tif 000005
【図４】
2018027255.tif 000006
【図５】
2018027255.tif 000007
【図６】
2018027255.tif 000008
【図７】
2018027255.tif 000009
【図８】
2018027255.tif 000010
【図９】
2018027255.tif 000011